(57)【特許請求の範囲】
【請求項１】
カラー画像による第１画像データを当該カラー画像と等倍で且つ二値のモノクローム画像となる第２画像データに変換する第１画像変換部と、画像を表示する表示部とを備え、前記第１画像データに対応する縮小画像を前記表示部で表示する画像処理装置において、
前記第１画像データを、前記第１画像データによるカラー画像が縮小された多値のモノクローム画像となる第３画像データに変換する第２画像変換部と、
前記第２及び第３画像データを対応づけて記憶するメモリと、
を備え、
前記表示部に前記第１画像データに対応する縮小画像を表示する際、当該第１画像データに対応する前記第３画像データが前記メモリから前記表示部に与えられて、当該第３画像データに基づくモノクローム画像を前記表示部に表示することを特徴とする画像処理装置。
【請求項２】
請求項１において、
前記第２画像変換部が、前記第１画像データによるカラー画像を多値のモノクローム画像に変換した後に、前記表示部の解像度に合わせた画像に縮小して、前記第３画像データを取得することを特徴とする画像処理装置。
【請求項３】
請求項１又は請求項２において、
前記第１画像変換部からの前記第２画像データを圧縮符号化して前記メモリに与える第１符号化部と、
前記第２画像変換部からの前記第３画像データを圧縮符号化して前記メモリに与える第２符号化部と、
を備えることを特徴とする画像処理装置。
【請求項４】
請求項３において、
前記表示部が、前記メモリから読み出された前記第２符号化部で圧縮された前記第３画像データを一時的に記憶する表示部用メモリを備え、
前記第３画像データによるモノクローム画像を表示する際に、該表示部用メモリに記憶した前記第３画像データを伸張することを特徴とする画像処理装置。
【請求項５】
請求項１乃至請求項４のいずれか一項において、
前記表示部が、
前記メモリから読み出された前記第３画像データによるモノクローム画像を更に縮小する縮小処理部を備え、
前記縮小処理部が、前記第３画像データによるモノクローム画像を、前記表示部において画像を表示する領域の大きさに合わせて更に縮小することを特徴とする画像処理装置。
【発明の詳細な説明】
【技術分野】
【０００１】
本発明は、画像データを記憶する画像処理装置に関し、特に、表示部に表示させる画像に対する画像データを記憶する画像処理装置に関する。
【背景技術】
【０００２】
ファクシミリ装置、スキャナ装置、プリンタ装置、複写装置、又は、これらの装置の機能を複合した複合装置などの画像処理装置は、読み取った画像データ或いは出力するための画像データを一時的に記憶する画像メモリを備えている。又、この画像メモリを備えた画像処理装置の中には、画像メモリに一時的に記憶させた画像を表示させるための液晶ディスプレイなどで構成される表示部を備えるものがある。
【０００３】
このような表示部を備えた画像処理装置の多くは、表示部における解像度を低く設定しているため、画像メモリ中に記憶した画像データによる高解像度の画像を表示部で表示する場合は、表示対象となる画像データによる画像を縮小する必要がある。そして、画像データに対して施す縮小処理として、副走査線方向に対して非表示となる行の画像データを間引く技術が提案されている（特許文献１参照）。特許文献１の画像処理装置では、ＭＨ（Modified Huffman）符号化方式或いはＭＲ（Modified Read）符号化方式などの二値画像（モノクローム画像）に対する圧縮符号化方式により圧縮された画像データを、縮小処理の対象とする。
【０００４】
又、ファクシミリ装置、或いはファクシミリ機能を備えた複合装置などのファクシミリ機能を備えた画像処理装置については、画像の読み取りを行うスキャナ部で、カラー画像の読み取りを行うことができるものが、近年、普及されている。しかしながら、カラー画像の読み取りが可能となるファクシミリ機能を備えた画像処理装置が送信側となるとき、受信側がカラー画像に非対応である場合には、受信側において、二値画像が印字される。
【０００５】
このような画像処理装置は、受信側がカラー画像に非対応であることを確認すると、読み取ったカラー画像を二値画像に変換し、変換した二値画像による画像データを送信し、その送信するデータ量を低減させ、送信時間の短縮を図っている。しかしながら、この場合、カラー画像により読み取った色情報が受信側に送信されないため、受信側では原稿の配色を識別できない。それに対して、指定した色情報による部分に関する情報を原稿となる画像の画像データと共に送信する複合装置が、提案されている（特許文献２参照）。
【０００６】
この特許文献２の複合装置は、まず、原稿となる画像をカラー画像で読み取った後、原稿となる画像より指定した色情報による部分を抽出し、その色情報を示すテキストと合成した画像を作成する。そして、この複合装置は、原稿となる画像を二値画像に変換した画像データとするとともに、この原稿に対する画像データを、色情報によるテキストと合成した画像による画像データと共に、受信側に送信する。これにより、受信側は、色情報によるテキストと合成した画像が出力され、原稿となる画像の配色を認識できる。
【特許文献１】特開平０６−２７４６１２号公報
【特許文献２】特開２００４−０２３５３９号公報
【発明の開示】
【発明が解決しようとする課題】
【０００７】
上述のように、特許文献２の複合装置は、読み取った原稿自体の画像に加えて、この原稿における配色を示す画像を送信する。よって、受信側が二値画像のみを出力するものであっても、受信した原稿自体の画像から原稿の内容が認識されるとともに、原稿における配色を示す画像からは、原稿上の配色が認識される。
【０００８】
しかしながら、カラー画像の読み取りが可能な画像処理装置の多くは、表示部において読み取った画像を表示する際、カラー画像のままで表示することが多い。よって、カラー画像の読み取り可能である画像処理装置がファクシミリ機能による画像データを送信する場合に、送信する画像を確認するために表示部に表示させると、読み取ったカラー画像が表示部に表示される。
【０００９】
これに対して、カラー画像の出力が不可能な受信側で受信した画像の状態を視認するために、送信側となる画像処理装置では、その表示部における画像の表示について、二値画像により表示することが要求される。このとき、表示部に表示させる二値画像は、読み取った画像を縮小した画像となる。そして、この画像の縮小処理として、特許文献１の画像処理装置における副走査線方向への間引き処理を利用した場合、縮小した画像に抜けなどが生じるため、細線或いは細かい文字がつぶれるなどして、その視認性が欠ける。
【００１０】
このような問題に鑑みて、本発明は、表示部に表示するために縮小するモノクローム画像を複数階調による多値のモノクローム画像として、視認性のよい画像を提供できる画像処理装置の提案を目的とする。
【課題を解決するための手段】
【００１１】
上記目的を達成するために、本発明の画像処理装置は、カラー画像による第１画像データを当該カラー画像と等倍で且つ二値のモノクローム画像となる第２画像データに変換する第１画像変換部と、画像を表示する表示部とを備え、前記第１画像データに対応する縮小画像を前記表示部で表示する画像処理装置において、前記第１画像データを、前記第１画像データによるカラー画像が縮小された多値のモノクローム画像となる第３画像データに変換する第２画像変換部と、前記第２及び第３画像データを対応づけて記憶するメモリと、を備え、前記表示部に前記第１画像データに対応する縮小画像を表示する際、当該第１画像データに対応する前記第３画像データが前記メモリから前記表示部に与えられて、当該第３画像データに基づくモノクローム画像を前記表示部に表示することを特徴とする。
【００１２】
このような画像処理装置において、前記第２画像変換部が、前記第１画像データによるカラー画像を多値のモノクローム画像に変換した後に、前記表示部の解像度に合わせた画像に縮小して、前記第３画像データを取得してもよい。このとき、まず、色成分と輝度成分を備えた前記第１画像データを、輝度成分のみを複数階調で表現した多値のモノクローム画像に変換して、前記第１画像データによるカラー画像と等倍となる、多値のモノクローム画像を取得する。その後、当該多値のモノクローム画像に対して縮小処理を行い、前記第３画像データを取得できる。
【００１３】
逆に、前記第２画像変換部が、前記第１画像データによるカラー画像を前記表示部の解像度に合わせた画像に縮小した後に、多値のモノクローム画像に変換して、前記第３画像データを取得してもよい。このとき、まず、前記第１画像データの色成分と輝度成分それぞれについて縮小処理を行い、縮小されたカラー画像を取得する。その後、当該縮小されたカラー画像を、輝度成分のみを複数階調で表現した多値のモノクローム画像に変換して、前記第３画像データを取得できる。
【００１４】
上述したいずれかの画像処理装置において、前記第１画像変換部からの前記第２画像データを圧縮符号化して前記メモリに与える第１符号化部と、前記第２画像変換部からの前記第３画像データを圧縮符号化して前記メモリに与える第２符号化部と、を備えてもよい。このとき、前記第１符号化部が、ＭＨ（Modified Huffman）方式、ＭＲ（Modified READ）方式、ＭＭＲ（Modified Modified READ）方式、或いはＪＢＩＧ（Joint Bi-lebel Image experts Group）方式などによる圧縮符号化を行ってもよい。一方、前記第２符号化部が、ＪＰＥＧ（Joint Photographic Experts Group）方式などによる圧縮符号化を行ってもよい。
【００１５】
このような画像処理装置において、前記表示部が、前記メモリから読み出された前記第２符号化部で圧縮された前記第３画像データを一時的に記憶する表示部用メモリを備え、前記第３画像データによるモノクローム画像を表示する際に、該表示部用メモリに記憶した前記第３画像データを伸張してもよい。
【００１６】
上述したいずれかの画像処理装置において、前記表示部が、前記メモリから読み出された前記第３画像データによるモノクローム画像を更に縮小する縮小処理部を備え、前記縮小処理部が、前記第３画像データによるモノクローム画像を、前記表示部において画像を表示する領域の大きさに合わせて更に縮小してもよい。これにより、例えば、複数の画像を前記表示部に表示させる場合などのように、前記表示部に表示させる領域に合わせた画像の縮小を、前記表示部内で行えるため、装置全体を制御する主制御部側での負荷が低減する。
【発明の効果】
【００１７】
本発明によると、二値のモノクローム画像となる第２画像データに対して、縮小された多値のモノクローム画像とする第３画像データが生成されるため、表示部で第３画像データによる多値のモノクローム画像を表示できる。そして、第３画像データによる多値のモノクローム画像が、カラー画像となる第１画像データに基づいて生成され、複数階調を有した画像となるため、縮小後における細線或いは文字の一部の欠落を低減できる。よって、表示部に表示されるモノクローム画像となる縮小画像が、第２画像データによるモノクローム画像に近い再現性を備え、視認性のよい画像となる。
【発明を実施するための最良の形態】
【００１８】
＜本発明の概要＞
本発明の画像処理装置の基本構成について、図１を参照して説明する。図１は、本発明の画像処理装置の基本構成を示すブロック図である。
【００１９】
図１に示す画像処理装置は、カラー画像による第１画像データを二値のモノクローム画像（以下、「白黒二値画像」と呼ぶ）による第２画像データに変換する第１画像変換部１ａと、第１画像データを多値のモノクローム画像（以下、「グレースケール画像」と呼ぶ）による第３画像データに変換する第１画像変換部１ｂと、を備える。そして、この画像処理装置は、第２及び第３画像データのそれぞれを一時的に記憶するメモリ２と、メモリ２に記憶された第２画像データを送信する通信部３と、メモリ２に記憶された第２画像データによる画像を表示する表示部４と、を備える。
【００２０】
このように構成される画像処理装置において、色成分と輝度成分とで構成される第１画像データが、第１及び第２画像変換部１ａ，１ｂのそれぞれに与えられる。この第１画像データは、例えば、三原色（ＲＧＢ）それぞれの色信号によって構成されてもよいし、色差信号（Ｃｒ，Ｃｂ）と輝度信号（Ｙ）とによって構成されてもよい。そして、第１画像変換部１ａは、第１画像データの輝度成分を二値化して、第１画像データと同じ解像度の白黒二値画像となる第２画像データを取得する。
【００２１】
一方、第２画像変換部１ｂは、第１画像データの解像度を表示部４において表示するための解像度に変換するとともに、第１画像データの輝度成分のみを抽出し、縮小された複数階調のグレースケール画像となる第３画像データを取得する。このとき、第２画像変換部１ｂは、例えば、縮小前の画像において縮小後の注目画素から一定距離となる複数画素の画像データに対して加重加算を行うフィルタ処理を施し、画像を縮小化できる。
【００２２】
第１及び第２画像変換部１ａ，１ｂのそれぞれで取得された第２及び第３画像データのそれぞれが、メモリ２に書き込まれる。このとき、変換元の第１画像データを同一とする第２及び第３画像データが対応づけられて、メモリ２内に一時的に記憶される。その後、メモリ２に記憶された第２画像データが通信部３によって読み出され、白黒二値画像による第２画像データが外部に送信される。
【００２３】
このとき、送信する第２画像データに対応した第３画像データが読み出されて表示部４に与えられ、表示部４では、第３画像データによるグレースケール画像を表示する。これにより、表示部４が、送信した第２画像データの画像を縮小した画像を表示でき、操作者は、送信した画像の内容を、表示部４の表示により確認できる。
【００２４】
このように、本発明の画像処理装置は、白黒二値画像となる第２画像データに対応した、縮小画像であるグレースケール画像となる第３画像データを、第２画像変換部１ｂで生成し、この第３画像データによる縮小されたグレースケール画像を表示部４で表示する。これにより、表示部４では、フィルタ処理などによる補間処理を利用して縮小されたグレースケール画像が表示されるため、間引き処理により縮小された画像のように、細線或いは細かい文字の一部に相当するデータの欠落を防止できる。よって、表示部４により表示される縮小画像の視認性が良好となるため、操作者は、送信した第２画像データによるモノクローム画像に近い状態の画像を、表示部４の表示により確認できる。
【００２５】
以下の各実施形態における画像処理装置は、上述の基本構成及び動作に基づいている。そして、以下では、ファクシミリ通信が可能な複合装置を例に挙げて、各実施形態における特徴の詳細について説明する。
【００２６】
＜第１の実施形態＞
本発明の第１の実施形態について、図面を参照して以下に説明する。図２は、本実施形態における画像処理装置の内部構成を示すブロック図である。
【００２７】
本実施形態の画像処理装置１００は、図２に示すように、カラー画像を白黒二値画像に変換する画像変換部１１と、カラー画像をグレースケール画像に変換する画像変換部１２と、画像の縮小処理を行う画像縮小部１５とを有するＡＳＩＣ（Application Specific Integrated Circuit）１０を備える。このＡＳＩＣ１０は、ＳＤＲＡＭ（Synchronous Dynamic Random Access Memory）２０の読み出し及び書き込みを制御するメモリコントローラ１３と、画像データに対して圧縮符号化を施すＣＯＤＥＣ（Coder and Decoder）１４と、を有する。このＡＳＩＣ１０において、画像変換部１１が、図１の基本構成における第１画像変換部１ａとして動作し、画像変換部１２と画像縮小部１５とが、図１の基本構成における第２画像変換部１ｂとして動作する。
【００２８】
このＡＳＩＣ１０を備えた画像処理装置１００は、更に、図１の基本構成におけるメモリ２に相当するＳＤＲＡＭ２０を備える。このＳＤＲＡＭ２０がメモリコントローラ１３によって制御され、ＡＳＩＣ１０において、カラー画像による第１画像データから、白黒二値画像となる第２画像データと、グレースケール画像となる第３画像データとが生成される。そして、同一の第１画像データから取得された第２及び第３画像データそれぞれは、ＳＤＲＡＭ２０に関連づけて一時的に記憶される。このとき、メモリコントローラ１３は、ＣＯＤＥＣ１４で圧縮符号化された第２及び第３画像データをＳＤＲＡＭ２０に書き込む。
【００２９】
又、画像処理装置１００は、ローカルバス５２を介してＡＳＩＣ１０とデータの送受信を行うモデム３０と、外部の公衆交換電話網（ＰＳＴＮ：Public Switched Telephone Network）と接続するＮＣＵ（Network Control Unit）３１とを備える。このモデム３０とＮＣＵ３１とは、図１の基本構成における通信部３として機能する。即ち、画像処理装置１００は、モデム３０で、ＰＳＴＮで送受信される音声信号と画像データによるデータ列との間で相互に変換させる変復調を行い、ＮＣＵ３１で、発呼或いは着呼を含む、ＰＳＴＮを利用した通信を制御する。
【００３０】
又、画像処理装置１００は、ＰＣＩ（Peripheral Components Interconnect）バス５７とＵＳＢ（Universal Serial Bus）インターフェース５８とを介してデータの送受信を行うサブシステム４０と、画像の表示を行うＬＣＤ（Liquid Crystal Display）４４と、操作者からの操作を受け付ける操作部４５とを備える。そして、サブシステム４０は、ＡＳＩＣ１０から与えられる画像データを伸張復号するＣＯＤＥＣ４１と、画像の縮小処理を行う画像縮小部４２と、画像データをＬＣＤ４４で表示可能な形式のデータに変換する変換部４３とを有する。このサブシステム４０とＬＣＤ４４とが、図１の基本構成における表示部４として機能する。又、操作部４５は、ボタン、キー、或いはＬＣＤ４４と一体化されたタッチパネルなどで構成される。
【００３１】
このように図１に示す各ブロックによる機能を備えた画像処理装置１００は、原稿の画像を読み取るスキャナ部と、本体を制御するための主制御部と、記録紙への印字を行う印字部と、ＰＳＴＮ以外の通信ネットワークに接続されたインターフェースとを備える。まず、スキャナ部として、原稿に光を照射する不図示の光源と、原稿からの反射光を受光して電気信号に変換するＣＣＤ（Charge Coupled Device）５０と、ＣＣＤ５０からの電気信号をデジタルデータとなる画像データに変換するＡＦＥ（Analog Front-End）５１とを備える。
【００３２】
このスキャナ部は、冷陰極管などの白色灯或いは発光ダイオードにより構成される光源から原稿に光を照射して、原稿の濃淡を示す反射光をＣＣＤ５０で受光し、原稿の画像が読み取られる。このとき、ＣＣＤ５０は、三原色（ＲＧＢ）それぞれについて、特定の色を透過させる色フィルタが表面に設置された受光素子を１行に配置させたラインセンサを有する。即ち、反射光のＲ（赤）成分を透過させる色フィルタを設けたラインセンサと、反射光のＧ（緑）成分を透過させる色フィルタを設けたラインセンサと、反射光のＢ（青）成分を透過させる色フィルタを設けたラインセンサとによって、ＣＣＤ５０が構成される。
【００３３】
そして、ＡＦＥ５１は、ＣＣＤ５０を構成する３本のラインセンサより出力されるＲＧＢそれぞれのアナログ信号を、同一の画素位置のＲＧＢのデータを同期させたデジタルデータとなる画像データに変換する。これにより、ＲＧＢ形式による画像データが、ＡＦＥ５１からＡＳＩＣ１０に入力される。このＡＦＥ５１から出力されるＲＧＢ形式による画像データが、上述の第１画像データに相当する。
【００３４】
又、主制御部は、ローカルバス５２に接続された、ＭＰＵ（Micro Processing Unit）５３、ＳＤＲＡＭ５４、フラッシュメモリ５５、及びＳＲＡＭ（Static Random Access Memory）５６によって構成される。即ち、ＭＰＵ５３が、フラッシュメモリ５５に格納された各種プログラムを読み出すとともに、読み出したプログラムに対するワークエリアとしてＳＤＲＡＭ５４を利用して、プログラムを実行する。このＭＰＵ５３によるプログラムの実行により、複合装置における各種機能が実現される。ＳＲＡＭ５６には、短縮ダイヤルなどに代表される各種のユーザ設定が記憶される。
【００３５】
又、印字部を構成するプリンタコントローラ５８と、インターフェースを構成するネットワークボード６０とは、ＵＳＢインターフェース５９と共に、ＰＣＩバス５７に接続され、ＡＳＩＣ１０を介してＭＰＵ５３とのデータの送受信が行われる。ネットワークボード６０は、ＬＡＮ（Local Area Network）に接続されて、ＴＣＰ／ＩＰ（Transmission
Control Protocol/Internet Protocol）プロトコルに従って他の端末機器と通信する。又、プリンタコントローラ５８は、不図示の画像形成装置による記録紙への印字を行うために、画像形成装置の動作を制御する。
【００３６】
更に、プリンタコントローラ５８は、ネットワークボード６０を通じて受信したページ記述言語（ＰＤＬ：Page Description Language）によりラスターデータを生成できる。即ち、画像処理装置１００は、ネットワークボード６０によって、ＬＡＮに接続された端末機器から送信されるデータを受信すると、プリンタコントローラ５８で、受信したデータを、不図示の画像形成装置で処理可能なラスターデータに変換する。これにより、図２に示す画像処理装置１００は、ＬＡＮで接続された端末装置から印字が要求された文書或いは画像を記録紙に印字する、ネットワークプリント機能を実現する。
【００３７】
このように構成される画像処理装置１００は、図２のような構成として、上述したネットワークプリント機能以外に、スキャン機能、コピー機能、及びファクシミリ機能を実現できる。この画像処理装置１００によって実現される各機能のうち、既に上述したネットワークプリント機能以外の機能について、以下に簡単に説明する。
【００３８】
スキャン機能は、不図示の光源とＣＣＤ５０とＡＦＥ５１とを有するスキャナ部を動作させ、実現される。即ち、不図示の光源からの光に基づく原稿からの反射光をＣＣＤ５０が受光すると、その受光量に応じた電気信号が画素毎に生成され、ＲＧＢの各色に対してシリアルに連続したアナログ信号が出力される。そして、ＡＦＥ５１において、このＲＧＢ信号の各画素位置におけるデータを同期させるとともに、デジタルデータに変換して、ＲＧＢ形式によるデジタルの画像データを生成し、ＡＳＩＣ１０に出力する。ＡＳＩＣ１０では、メモリコントローラ１３により、ＡＦＥ５１からの画像データをＳＤＲＡＭ２０に書き込む。
【００３９】
このとき、ネットワークボード６０が、ＬＡＮを通じて他の端末機器より、読み取った原稿の画像に対する画像データの要求を受信すると、ＡＳＩＣ１０のメモリコントローラ１３が、ＳＤＲＡＭ２０に記憶させた画像データを読み出す。そして、読み出された画像データは、ＰＣＩバス５７を介してネットワークボード６０に与えられた後、要求した端末機器に対してＬＡＮを通じて送信される。これにより、ネットワークを利用したネットワークスキャン機能が実現される。
【００４０】
コピー機能は、上述のスキャン機能を実現するために動作させたスキャナ部と、不図示の画像形成装置を動作させるプリンタコントローラ５８による印字部とを動作させ、実現される。即ち、スキャナ部が上述のスキャン機能を実現するときと同様に動作して、スキャナ部によって読み取られた原稿の画像に対する画像データが、ＡＦＥ５１よりＡＳＩＣ１１０に出力される。この画像データは、ＰＣＩバス５７を通じてプリントコントローラ５８に与えられる。そして、プリントコントローラ５８が、画像データに応じて画像形成装置による印字を制御し、ＣＣＤ５０により読み取られた原稿の画像が記録紙に印字される。
【００４１】
ファクシミリ機能における送信動作は、上述のスキャン機能を実現するために動作させたスキャナ部と、モデム３０及びＮＣＵ３１で構成される通信部とを動作させ、実現される。即ち、まず、スキャナ部が上述のスキャン機能を実現するときと同様に動作して、スキャナ部によって読み取られた原稿の画像に対する画像データが、ＡＦＥ５１よりＡＳＩＣ１０に出力される。又、ＮＣＵ３１では、相手側のファクシミリ装置とのＰＳＴＮを介した接続を確立する。このとき、相手側のファクシミリ装置が、カラー画像となる画像データの受信が可能か否か判定される。
【００４２】
相手側のファクシミリ装置がカラー画像となる画像データの受信が可能である場合、ＡＳＩＣ１０は、ＡＦＥ５１より入力される画像データを、ＣＯＤＥＣ１４で圧縮符号化した後、メモリコントローラ１３でＳＤＲＡＭ２０に書き込む。そして、相手側のファクシミリ装置への送信が可能となると、ＳＤＲＡＭ２０に記憶された圧縮符号化された画像データが、ＡＳＩＣ１０のメモリコントローラ１３により読み出され、ローカルバス５２を通じてモデム３０に与えられる。よって、この圧縮符号化された画像データが、モデム３０によって変調されて、ＮＣＵ３１から相手側のファクシミリ装置に送信される。
【００４３】
又、相手側のファクシミリ装置がカラー画像となる画像データの受信が不可能である場合、ＡＳＩＣ１０は、ＡＦＥ５１より入力される画像データを、画像変換部１１で二値化した後、ＣＯＤＥＣ１４で圧縮符号化する。即ち、画像変換部１１でカラー画像となる上述の第１画像データを、白黒二値画像となる上述の第２画像データに変換した後、ＣＯＤＥＣ１４で圧縮符号化する。この第２画像データの圧縮符号化後は、カラー画像となる画像データを送信する場合と同様、圧縮符号化された第２画像データをＳＤＲＡＭ２０に一時的に記憶した後、モデム３０によって変調して、ＮＣＵ３１から相手側のファクシミリ装置に送信する。
【００４４】
このようにして、相手側のファクシミリ装置に対して、スキャナ部により読み取られた原稿の画像に対する画像データを送信するとき、送信した画像の縮小画像をＬＣＤ４４に表示するために、画像縮小部１５が、読み取った画像データに対して縮小処理を施す。即ち、画像縮小部１５は、スキャナ部により読み取られた原稿の画像による画像データに対して縮小処理を施して、ＬＣＤ４４の解像度に応じた大きさの縮小画像を生成する。
【００４５】
この縮小画像となる画像データは、ＣＯＤＥＣ１４で圧縮符号化された後、メモリコントローラ１３を通じてＳＤＲＡＭ２０に一時的に記憶される。そして、ＬＣＤ４４への表示が要求されると、縮小画像となる画像データが、ＡＳＩＣ１０によりＳＤＲＡＭ２０より読み出された後、ＰＣＩバス５７及びＵＳＢインターフェース５９を介して、サブシステム４０に与えられる。そして、サブシステム４０が、ＡＳＩＣ１０を通じて与えられた画像データを、ＬＣＤ４４で表示するためのＲＧＢ形式の画像データに変換して、ＬＣＤ４４に供給し、送信した画像の縮小画像がＬＣＤ４４に表示される。
【００４６】
尚、本発明の画像処理装置は、このファクシミリ機能による送信動作時における、画像データの処理については、白黒二値画像による第２画像データを送信するときの動作を特徴とするため、第２画像データの送信時の詳細な動作を後述する。
【００４７】
又、カラー画像による画像データを送信する場合、モデム３０に与える画像データは、ＲＧＢ形式による画像データが輝度信号及び色差信号により成る画像データに変換された後、ＣＯＤＥＣ１４において、ＪＰＥＧ方式により圧縮符号化される。このとき、サブシステム４０に与える縮小画像となる画像データについては、ＲＧＢ形式から変換された画像データに対して、その輝度信号及び色差信号それぞれにフィルタ処理が施され、縮小処理が成される。その後、ＣＯＤＥＣ１４は、縮小された画像データをＪＰＥＧ方式により圧縮符号化する。
【００４８】
一方、ファクシミリ機能における受信動作は、上述のプリンタ機能を実現するために動作させた印字部と、モデム３０及びＮＣＵ３１で構成される通信部とを動作させて、実現される。即ち、相手側のファクシミリ装置からの発呼をＮＣＵ３１によって確認したとき、ＮＣＵ３１によって、ＰＳＴＮを通じた相手側のファクシミリ装置との接続が確立される。その後、モデム３２と相手側のファクシミリ装置との間で通信が行われ、相手側のファクシミリ装置から送信された信号の受信を確認すると、モデム３０及びＮＣＵ３１によって受信した信号を復調して、画像データを取得する。
【００４９】
このとき取得した画像データは、ローカルバス５２を通じてＡＳＩＣ１０に与えられると、メモリコントローラ１３によりＳＤＲＡＭ２０に一時的に記憶される。その後、受信した画像データの印字部による印字が要求される場合は、ＳＤＲＡＭ２０に一時的に記憶された画像データがＣＯＤＥＣ１４で伸張されて復号される。そして、復号された画像データが、ＰＣＩバス５７を介してプリンタコントローラ５８に与えられ、受信した画像データによる画像が記録紙に印字される。
【００５０】
又、受信した画像データをＳＤＲＡＭ２０に記憶する際、ＣＯＤＥＣ１４で伸張復号した後に画像縮小部１５で縮小し、ＬＣＤ４４に表示するための縮小画像となる画像データを生成して、受信した画像データと共にＳＤＲＡＭ２０に記憶してもよい。このとき、生成された縮小画像となる画像データは、更に、ＣＯＤＥＣ１４に与えられた圧縮符号化されるとともに、受信した画像データと関連づけられてＳＤＲＡＭ２０に記憶されてもよい。
【００５１】
この縮小画像となる画像データが、ＡＳＩＣ１０によりＰＣＩバス５７及びＵＳＢインターフェース５９を介してサブシステム４０に与えられ、受信した画像データによる縮小画像を、ＬＣＤ４４に表示できる。よって、画像処理装置１００の利用者は、ＬＣＤ４４に表示された縮小画像により、相手先となるファクシミリ装置から受信した画像データの画像を認識し、記録紙への印字の可否を決定できる。
【００５２】
このようにして実現されるファクシミリ機能において、ＣＣＤ５０及びＡＦＥ５１によるスキャナ部の代わりに、ネットワークボード６０によるインターフェースを利用して、ネットワークファクシミリ機能を実現できる。即ち、ネットワークボード６０により、ＬＡＮに接続された他の端末機器より送信される画像データが、ＰＣＩバス５７を通じてＡＳＩＣ１０に与えられるとき、この画像データがローカルバス５２を通じてモデム３０に与えられて外部に送信される。
【００５３】
このとき、上述したファクシミリ機能による送信動作と同様、相手先のファクシミリ装置がカラー画像による画像データを受信できる場合は、ＡＳＩＣ１０に与えられた画像データが、直接ＣＯＤＥＣ１４で圧縮符号化される。又、相手先のファクシミリ装置がカラー画像による画像データを受信できない場合は、ＡＳＩＣ１０に与えられた画像データが、画像変換部１１で白黒二値画像となる第２画像データに変換された後、直接ＣＯＤＥＣ１４で圧縮符号化される。
【００５４】
そして、相手先のファクシミリ装置に送信する画像データに対応した縮小画像をＬＣＤ４４に表示するために、画像縮小部１５を動作させることを含め、その他の動作については上述の動作と同様となる。よって、ネットワークボード６０により受信した画像データを利用して、送信用の画像データを生成する動作以外については、上述のファクシミリ機能による送信動作を参照し、その詳細な説明を省略する。
【００５５】
このように各機能を実現する画像処理装置１００における、ファクシミリ機能を利用した、白黒二値画像の送信動作の詳細について、以下に説明する。
【００５６】
（第１動作例）
まず、この白黒二値画像の送信動作の第１例について、図３のブロック図を参照して説明する。尚、図３のブロック図は、図２の画像処理装置における各部の動作フローを示すブロック図であり、白黒二値画像の送信時に動作する順位に応じて、図２の画像処理装置の各ブロックを並べ替えている。
【００５７】
ファクシミリ機能を用いて白黒二値画像による画像データを送信するとき、上述したように、ＡＦＥ５１（図２参照）又はネットワークボード６０（図２参照）から、カラー画像による第１画像データが、ＡＳＩＣ１０に入力される。この第１画像データは、ＡＳＩＣ１０の各部で演算処理を行うために、メモリコントローラ１３（図２参照）によりＳＤＲＡＭ２０に書き込まれ、ＳＤＲＡＭ２０で一時的に記憶される。
【００５８】
このように、送信する原稿に基づくカラー画像による第１画像データがＳＤＲＡＭ２０に記憶されると、この第１画像データが、メモリコントローラ１３によりＳＤＲＡＭ２０より読み出されて、図３に示すように、画像変換部１１，１２のそれぞれに与えられる。そして、画像変換部１１は、第１画像データの輝度成分のみを抽出して、閾値となる輝度値に基づいて二値化を施し、白黒二値画像となる第２画像データを生成する。
【００５９】
このとき、第１画像データが、ＲＧＢ形式の画像データの場合は、ＲＧＢそれぞれの色信号を加重加算して得られる輝度信号に対して、二値化が施される。又、第１画像データが、輝度信号と色差信号とで構成される場合は、その輝度信号に対して二値化が施され、白黒二値画像による第２画像データが取得する。この第２画像データは、第１画像データの色成分が除かれるとともに輝度成分を二階調としたものであり、画像の大きさである解像度については第１画像データと同一である。
【００６０】
一方、画像変換部１１と同様の第１画像データが与えられている画像変換部１２は、第１画像データより、その輝度成分のみを反映させたグレースケール画像による画像データが取得される。即ち、第１画像データが、ＲＧＢ形式の画像データの場合は、ＲＧＢそれぞれの色信号を加重加算して得られる輝度信号を算出し、この輝度信号による画像データに変換する。又、第１画像データが、輝度信号と色差信号とで構成される場合は、その輝度信号のみを抽出して構成した画像データに変換する。
【００６１】
よって、画像変換部１２では、第１画像データの色成分が除かれて輝度成分のみとされた複数階調のグレースケール画像で、且つ、第１画像データの解像度と同一の解像度となる画像データが取得される。このようなグレースケール画像による画像データが、画像変換部１２から画像縮小部１５に与えられて、縮小処理が施され、縮小されたグレースケール画像となる第３画像データに変換される。
【００６２】
この画像縮小部１５では、画像変換部１２で得られた画像データに対してフィルタを用いた補間処理を施して、縮小されたグレースケール画像となる第３画像データに変換する。即ち、縮小後の注目画素に対して、当該注目画素から所定の距離以内となる位置の複数画素のデータを加重加算するためのフィルタが、画像縮小部１５内に設けられ、このフィルタを用いた加重加算により、画像を縮小するための補間処理が成される。
【００６３】
よって、画像変換部１２で得られた画像データによる画像において、注目画素と同一の位置にデータを備えた画素が存在する場合は、このフィルタにより、当該注目画素とその周辺画素のデータが加重加算されて、縮小後の注目画素のデータが得られる。このように、画像変換部１２で得られた複数階調のグレースケール画像が、画像縮小部１５での補間処理により縮小されるため、縮小画像の各画素のデータは、その周辺画素のデータを加味した値となる。よって、第３画像データによる縮小されたグレースケール画像は、間引き処理により縮小される白黒二値画像に比べて、視認性の良い画像となる。
【００６４】
尚、このフィルタを用いた加重加算がなされるとき、フィルタの値に基づく重み係数を注目画素の周辺の状態に応じて変更できるものとし、更に視認性の良い縮小画像が得られるものとしてもよい。即ち、例えば、エッジ部分においてフィルタの値を変更する場合、そのエッジが強調されるように各データに乗算する重み係数が変更される。よって、このエッジ部分に対応させてフィルタの値を変更させる例では、縮小後の画像が、エッジ強調が施された画像となり、更に視認性の良い画像となる。
【００６５】
画像変換部１１からの第２画像データと、画像縮小部１５からの第３画像データとはそれぞれ、ＣＯＤＥＣ１４に与えられて、それぞれの画像に対応させた圧縮符号化がなされる。即ち、ＣＯＤＥＣ１４は、白黒二値画像となる第２画像データに対して、ＭＨ方式、ＭＲ方式、ＭＭＲ方式、或いはＪＢＩＧ方式などによる圧縮符号化を行う一方で、グレースケール画像となる第３画像データに対して、ＪＰＥＧ方式などによる圧縮符号化を行う。
【００６６】
このようにＣＯＤＥＣ１４で圧縮符号化された第２及び第３画像データは、メモリコントローラ１３（図２参照）により、同一の第１画像データより生成されたものとして関連づけられた後、ＳＤＲＡＭ２０に書き込まれる。このようにして、ＳＤＲＡＭ２０に記憶された第２及び第３画像データは、それぞれメモリコントローラ１３（図２参照）により読み出されると、第２画像データが、ローカルバス５２（図２参照）を介してモデム３０に与えられる。一方、第３画像データが、ＰＣＩバス５７（図２参照）を介してＵＳＢインターフェース５９に与えられる。
【００６７】
よって、第２画像データが与えられるモデム３０が、この第２画像データを変調した後に、変調後の第２画像データをＮＣＵ３１がＰＳＴＮを通じて相手先となるファクシミリ装置に対して送信する。これにより、カラー画像による画像データの受信が不可能なファクシミリ装置に対して、白黒二値画像となる第２画像データを送信できる。
【００６８】
又、第３画像データがＵＳＢインターフェース５９に与えられ、このＵＳＢインターフェース５９に接続されたサブシステム４０に、第３画像データが転送される。このサブシステム４０では、ＵＳＢインターフェース５９により転送された第３画像データが、まず、ＣＯＤＥＣ４１に与えられ、上述の圧縮方式に基づいて、第３画像データが伸張復号される。
【００６９】
このようにして伸張復号された第３画像データが画像縮小部４２に与えられ、ＬＣＤ４４に表示する際の表示領域に応じた大きさの画像に変換される。即ち、第３画像データによる画像を、ＬＣＤ４４全体に表示する場合は、画像縮小部４２は縮小処理をしない。又、例えば、２ページ分の画像をＬＣＤ４４に表示する場合は、ＬＣＤ４４での表示領域が全体の１／２となるため、画像縮小部４２は、１ページ分となる第３画像データによる画像を１／２倍するための縮小処理をする。
【００７０】
画像縮小部４２による処理が施された第３画像データは、更に変換部４３に与えられ、ＬＣＤ４４で処理可能なデータ形式の画像データに変換される。このとき、第３画像データが、グレースケール画像となる輝度信号のみによる画像データが、ＲＧＢ形式の画像データに変換される。更に、複数ページの画像がＬＣＤ４４上で一度に表示される場合は、画像縮小部４２で縮小された複数ページ分の第３画像データを１つの画像による画像データに合成した後、ＲＧＢ形式の画像データに変換される。
【００７１】
このようにして、ＲＧＢ形式の画像データに変換された第３画像データがＬＣＤ４４に与えられ、ＬＣＤ４４上に、モデム３０及びＮＣＵ３１により送信された第２画像データによる画像が表示される。これにより、操作者は、ＬＣＤ４４上に表示された画像を確認し、相手先のファクシミリ装置で受信した原稿の画像を認識できる。
【００７２】
（第２動作例）
次に、上述の第１例と異なる白黒二値画像の送信動作の第２例について、図４のブロック図を参照して説明する。尚、図４のブロック図についても、図３のブロック図と同様、図２の画像処理装置における各部の動作フローを示すブロック図であり、白黒二値画像の送信時に動作する順位に応じて、図２の画像処理装置の各ブロックを並べ替えている。
【００７３】
本動作例においては、第１動作例と異なり、ＳＤＲＡＭ２０に一時的に記憶された第１画像データが、メモリコントローラ１３（図２参照）によって読み出されると、画像変換部１１と共に画像縮小部１５に与えられる。即ち、本動作例においては、縮小されたグレースケール画像となる第３画像データを生成する際において、まず、画像縮小部１５での縮小処理を施した後、画像変換部１２により、カラー画像からグレースケール画像へ変換される。
【００７４】
この画像変換部１２と画像縮小部１５とによる第３画像データの生成動作以外の動作については、第１動作例と同様の動作となるため、上述の第１動作例を参照するものとして、その詳細については省略する。よって、以下では、画像変換部１２と画像縮小部１５とによる第３画像データの生成動作について、詳細に説明する。
【００７５】
本動作例においては、画像縮小部１５において、第１画像データを構成する各色信号、或いは、輝度信号と色差信号それぞれに対して、第１動作例で上述したフィルタによる補間処理が成される。即ち、第１画像データがＲＧＢ形式による画像データである場合、画像縮小部１５は、ＲＧＢによる各色信号に対して、フィルタを有し、各色信号に対する補間処理を並列に行う。一方、第１画像データが色差信号と輝度信号とにより構成されている場合、画像縮小部１５は、輝度信号及び複数の色差信号のそれぞれに対して、フィルタを有し、輝度信号及び複数の色差信号のそれぞれに対する補間処理を並列に行う。
【００７６】
画像縮小部１５が、第１画像データに対して、このような補間処理による縮小処理をして、縮小されたカラー画像による画像データが得られる。尚、第１画像データがＲＧＢ形式による画像データである場合、ＲＧＢ形式による縮小された画像データが得られる一方で、第１画像データが色差信号と輝度信号とにより構成されている場合、色差信号と輝度信号とによる縮小された画像データが得られる。
【００７７】
そして、この画像縮小部１５で得られた縮小されたカラー画像による画像データは、画像変換部１２に与えられ、その輝度成分だけが抽出されたグレースケール画像による画像データに変換される。このようにして、画像変換部１２より、縮小されたグレースケール画像となる第３画像データが出力されると、第１動作例と同様、メモリコントローラ１３（図２参照）により、この第３画像データがＳＤＲＡＭ２０に書き込まれる。
【００７８】
この画像変換部１２では、画像縮小部１５で縮小されたカラー画像による画像データを第３画像データに変換する動作は、第１動作例と同様となる。即ち、画像縮小部１５で縮小されたカラー画像による画像データがＲＧＢ形式の画像データの場合は、各色信号を加重加算した輝度信号を用いて、第３画像データに変換する。一方、画像縮小部１５で縮小されたカラー画像による画像データが輝度信号と色差信号とで構成される場合は、その輝度信号のみを抽出して第３画像データに変換する。
【００７９】
＜第２の実施形態＞
本発明の第２の実施形態について、図面を参照して以下に説明する。図５は、本実施形態における画像処理装置の内部構成を示すブロック図である。尚、図５の構成において、図２の構成と同一部分については、同一の符号を付して、その詳細な説明は省略する。
【００８０】
本実施形態の画像処理装置１０１は、図５に示すように、第１の実施形態の画像処理装置１００（図２参照）の構成に対して、サブシステム４０内にメモリコントローラ４６が追加されるとともに、メモリコントローラ４６で制御されるＳＤＲＡＭ４７が追加された構成となる。即ち、画像処理装置１０１における表示部４（図１参照）に対応する構成部分に、サブシステム４０内のメモリコントローラ４６によりデータの書き込み及び読み出しが制御されるＳＤＲＡＭ４７が設けられる。尚、このメモリコントローラ４６とＳＤＲＡＭ４７以外の構成については、第１の実施形態の画像処理装置１００における構成と同一となるため、その詳細な説明については省略する。
【００８１】
このように、画像処理装置１０１がＳＤＲＡＭ４７を備えた構成として、ＬＣＤ４４に表示するための画像データが、ＵＳＢインターフェース５９を通じてサブシステム４０に転送されたとき、この画像データをＳＤＲＡＭ４７に一時的に記憶できる。これにより、本実施形態の画像処理装置１０１は、ＣＣＤ５０を備えるスキャン部で、複数ページの原稿の画像を連続的に読み込んだときでも、サブシステム４０とＬＣＤ４４とによる画像の表示に対応できる。
【００８２】
即ち、スキャン機能、コピー機能、或いはファクシミリ機能が実行されるとき、画像処理装置１０１に複数ページの原稿を連続的に供給するフィーダが設置されて、スキャン部で、連続して複数ページの原稿の画像が読み取られる。よって、スキャン部では、ＣＣＤ５０及びＡＦＥ５１が動作して、複数ページの原稿に対応した複数の画像データが得られる。ＡＦＥ５１から出力される複数の画像データは、ＡＳＩＣ１０に与えられると、ＡＳＩＣ１０内のメモリコントローラ１３によりＳＤＲＡＭ２０に書き込まれて、一時的に記憶される。
【００８３】
その後、ＳＤＲＡＭ２０に一時的に記憶された複数の画像データが、１ページの原稿に対応したデータ毎にＳＤＲＡＭ２０より読み出される。そして、第１の実施形態と同様、ＡＳＩＣ１０内で、各機能に対応して、モノクローム画像への変換処理、画像の縮小処理、或いは圧縮符号化処理などが施される。尚、本実施形態の画像処理装置１０１における各機能の動作は、ファクシミリ機能における送信動作以外、第１の実施形態における画像処理装置１００と同様となる。よって、以下では、本実施形態で特徴とするファクシミリ機能における送信動作について、白黒二値画像による画像データを送信する場合を中心に説明する。
【００８４】
画像処理装置１０１によるファクシミリ機能における白黒二値画像の送信動作について、図６のブロック図を参照して説明する。尚、図６のブロック図は、図５の画像処理装置における各部の動作フローを示すブロック図であり、白黒二値画像の送信時に動作する順位に応じて、図５の画像処理装置の各ブロックを並べ替えている。
【００８５】
上述したように、複数ページの原稿に対応した複数の第１画像データがＡＦＥ５１（図５参照）より出力されると、ＡＳＩＣ１０内のメモリコントローラ１３（図５参照）によりＳＤＲＡＭ２０に記憶される。そして、図６に示すように、この複数の第１画像データが、１ページの原稿に対応したデータ毎に、ＳＤＲＡＭ２０より読み出されると、画像変換部１１，１２に与えられる。
【００８６】
画像変換部１１，１２では、第１の実施形態（図３参照）と同様の動作を行う。そのため、画像変換部１１で、第１画像データが白黒二値画像となる第２画像データに変換される一方で、画像変換部１２で、第１画像データがグレースケール画像となる画像データに変換される。更に、画像変換部１２で得られた画像データが画像縮小部１５に与えられて、第１の実施形態（図３参照）と同様、縮小されたグレースケール画像となる第３画像データが取得される。
【００８７】
画像変換部１１から出力される第２画像データと、画像縮小部１５から出力される第３画像データは、更に、ＣＯＤＥＣ１４において、それぞれに対応させた方式に基づいて圧縮符号化された後、再び、ＳＤＲＡＭ２０に記憶される。このＳＤＲＡＭ２０に記憶された第２画像データ及び第３画像データのうち、第２画像データについては、第１の実施形態（図３参照）と同様、ＡＳＩＣ１０によりローカルバス５２（図５参照）を通じてモデム３０に与えられる。その後、モデム３０及びＮＣＵ３１により、第２画像データが、１ページの原稿に対応するデータ毎に相手先のファクシミリ装置に送信される。
【００８８】
一方、ＳＤＲＡＭ２０に記憶された第３画像データは、第１の実施形態（図３参照）と同様、ＡＳＩＣ１０によりＰＣＩバス５７（図５参照）を通じてＵＳＢインターフェース５９に与えられる。これにより、ＵＳＢインターフェース５９と接続されるサブシステム４０に、このＵＳＢインターフェース５９を通じて、ＳＤＲＡＭ２０に記憶された第３画像データが転送される。
【００８９】
そして、サブシステム４０は、メモリコントローラ４６（図５参照）を動作させて、ＵＳＢインターフェース５９を通じて転送される第３画像データをＳＤＲＡＭ４７に書き込む。これにより、複数ページの原稿に対応した複数の第３画像データが、まず、ＳＤＲＡＭ４７内に一時的に記憶される。よって、ＳＤＲＡＭ４７は、ＬＣＤ４４に表示させるために行うその後の処理におけるバッファとして機能するだけではなく、操作部４５の操作により表示が要求されるまで記憶させるメモリとして機能する。
【００９０】
このように、第３画像データがＳＤＲＡＭ４７に記憶されると、まず、１ページ目の原稿の画像をＬＣＤ４４に表示させるために、この１ページ目の原稿に対応した第３画像データがＳＤＲＡＭ４７より読み出されて、ＣＯＤＥＣ４１に与えられる。その後、ＣＯＤＥＣ４１、画像縮小部４２、及び変換部４３が、第１の実施形態（図３参照）と同様の動作をして、ＬＣＤ４４に、１ページ目の原稿の画像がグレースケール画像により表示される。
【００９１】
このとき、ＬＣＤ４４において、１ページ目の原稿を含む複数ページの原稿の画像による表示とされる場合は、表示させる枚数に応じた第３画像データがＳＤＲＡＭ４７より読み出される。そして、ＣＯＤＥＣ４１、画像縮小部４２、及び変換部４３において、第１の実施形態（図３参照）と同様の処理がされ、１ページ目の原稿を含む複数ページの原稿の画像が、ＬＣＤ４４に表示される。
【００９２】
又、ＳＤＲＡＭ４７がメモリとして機能するとき、操作部４５の操作に基づいて、ＬＣＤ４４への表示が要求されたページとＬＣＤ４４への表示態様とが認識されると、要求されたページの第３画像データがＳＤＲＡＭ４７より抽出して読み出される。そして、複数ページを一度に表示する場合は、設定されたＬＣＤ４４への表示態様に応じて、表示する各ページのＬＣＤ４４上の表示領域に対応するように、ＣＯＤＥＣ４１で伸張復号された第３画像データに対して、画像縮小部４２が縮小処理を施す。
【００９３】
その後、変換部４３が、第３画像データのデータ形式を、ＬＣＤ４４で表示するための形式に変換して、ＬＣＤ４４に出力する。これにより、画像処理装置１０１は、ファクシミリ機能により送信したとき、操作者が要求したページの画像を、要求した表示態様にて、ＬＣＤ４４に表示させる。
【００９４】
尚、このファクシミリ機能によりカラー画像の送信を行う場合、第１の実施形態と同様、ＳＤＲＡＭ２０に、送信用のカラー画像となる画像データと、表示用に縮小されたカラー画像となる画像データとが、ＣＯＤＥＣ１４で圧縮符号化されて記憶される。よって、サブシステム４０では、読み取った複数ページの原稿に対して、表示用に縮小されたカラー画像となる複数の画像データが転送されるため、このカラー画像となる複数の画像データがＳＤＲＡＭ４７に記憶される。そして、図６のブロック図に基づく動作と同様の動作を行い、操作者が要求したページの画像を、要求した表示態様にて、ＬＣＤ４４に表示させる。
【００９５】
又、本実施形態において、グレースケール画像による第３画像を生成する動作について、第１の実施形態における第１動作例（図３参照）と同様としたが、第１の実施形態における第２動作例（図３参照）と同様の動作としてもよい。即ち、まず、第１画像データを画像縮小部１５に入力して、縮小されたカラー画像による画像データを生成した後に、画像変換部１２により、縮小されたグレースケール画像による第３画像データを生成してもよい。
【産業上の利用可能性】
【００９６】
本発明は、実際の画像を縮小させた画像を表示する構成を備えた画像処理装置であれば、ファクシミリ装置に限らず、プリンタ装置、イメージスキャナ装置、又は、コピー装置、或いは、各装置の機能を複合して備える複合装置など、各種の画像処理装置に適用できる。
【図面の簡単な説明】
【００９７】
【図１】は、本発明の画像処理装置の基本構成を示すブロック図である。
【図２】は、第１の実施形態における画像処理装置の内部構成を示すブロック図である。
【図３】は、図２の画像処理装置における各部の動作フローを示すブロック図である。
【図４】は、図２の画像処理装置における各部の別の動作フローを示すブロック図である。
【図５】は、第２の実施形態における画像処理装置の内部構成を示すブロック図である。
【図６】は、図５の画像処理装置における各部の動作フローを示すブロック図である。
【符号の説明】
【００９８】
１ａ                  第１画像変換部
１ｂ                  第２画像変換部
２                    メモリ
３                    通信部
４                    表示部
１０                  ＡＳＩＣ
１１，１２            画像変換部
１３，４６            メモリコントローラ
１４，４１            ＣＯＤＥＣ
１５，４２            画像縮小部
２０，４７，５４      ＳＤＲＡＭ
３０                  モデム
３１                  ＮＣＵ
４０                  サブシステム
４３                  変換部
４４                  ＬＣＤ
４５                  操作部
５０                  ＣＣＤ
５１                  ＡＦＥ
５２                  ローカルバス
５３                  ＭＰＵ
５５                  フラッシュメモリ
５６                  ＳＲＡＭ
５７                  ＰＣＩバス
５８                  プリンタコントローラ
５９                  ＵＳＢインターフェース
６０                  ネットワークボード
【図１】
0005186994.tif 000002
【図２】
0005186994.tif 000003
【図３】
0005186994.tif 000004
【図４】
0005186994.tif 000005
【図５】
0005186994.tif 000006
【図６】
0005186994.tif 000007